(57)【要約】      （修正有）【課題】湯水混合栓の使用者が必要な時だけ吐水することによってムダな吐水を押さえて節水することができる湯水混合栓装置を提供する。【解決手段】湯水混合栓１を吐水又は止水させる足踏みペダルが湯水混合栓と操作ワイヤ３で接続されている湯水混合栓装置において、湯水混合栓が、湯を供給する給湯管４と水を供給する給水管５の接続部分に湯と水が混合される湯水混合部が形成される。湯水混合部の湯水を吐水する吐水管の湯水流路が湯水混合部に連通可能に接続され、湯水流路に上下動により湯水流路を開閉して吐水又は止水する開閉弁体９が配置され、開閉弁体に足踏みペダルに接続されている操作ワイヤが接続されていることを特徴とする。【選択図】図４
0003191875.tif 000002
【実用新案登録請求の範囲】
【請求項１】
湯水混合栓を吐水又は止水させる足踏みペダルが前記湯水混合栓と操作ワイヤで接続されている湯水混合栓装置において、
前記湯水混合栓は、湯を供給する給湯管と水を供給する給水管の接続部分に湯と水が混合される湯水混合部が形成され、
前記湯水混合部の湯水を吐水する吐水管の湯水流路が前記湯水混合部に連通可能に接続され、
前記湯水流路に上下動により前記湯水流路を開閉して吐水又は止水する開閉弁体が配置され、
前記開閉弁体に前記足踏みペダルに接続されている前記操作ワイヤが接続されていることを特徴とする湯水混合栓装置。
【請求項２】
前記開閉弁体に固定された開閉弁体ロッドに前記操作ワイヤの一端が接続されるとともに、操作ワイヤの他端が前記足踏みペダルに接続され、
上下動する前記開閉弁体を収納し且つガイドする開閉弁体ガイド筒からの水漏れを防止するシール用蛇腹の中空部に、開閉弁体ロッドが上下動可能に通されていることを特徴とする請求項１に記載の湯水混合栓装置。
【考案の詳細な説明】
【技術分野】
【０００１】
本考案は、湯水混合栓の使用者が必要な時だけ吐水することによってムダな吐水を押さえて節水することができる湯水混合栓装置に関する。
【背景技術】
【０００２】
台所、洗面所、浴室などにおいては、湯と水の両方を出すことが可能な湯水混合栓が設けられている。ところが、台所では、例えば、食器洗い中に食器を移動させる際などに水を出しっぱなしにしたり、あるいは、洗面所や浴室では、手を石けんで洗う場合などでは、洗っている間は手に石けんが付いているので給水栓を閉めることなく水を出しっぱなしにしたりして、水をムダに浪費してことが多くあった。
【０００３】
そこで、水をムダに浪費せずに節水するために、吐水が必要な時にのみ吐水する水栓が多く提案されている（特許文献１〜３参照）。
【０００４】
前記特許文献１（特開２００１−２９５３３７号公報）には、球状の止水栓につないだワイヤを足踏みペダルに接続した足踏み式蛇口を、別付けアダプターにて既設の蛇口に取り付け、水が必要な時だけ、足踏みペダルを踏んで球状の止水栓につないだワイヤを引っ張ることにより蛇口の開放が行えるようにして節水を可能とした足踏み式蛇口が開示されている。
【０００５】
また、前記特許文献２（実開昭６０−１３７２７５号公報）には、開閉弁体内で弁棒を往復動させて開閉を行う水栓で、弁棒の一端に操作ハンドルを連結し、他端に足踏みペダルを連結した水栓において、弁棒の他端と足踏みペダルとの連結手段は、足踏みペダルを操作するときのみ操作ハンドルが一体となって連動せしめる手段を有し、且つ、足踏みペダルによる引張り方向と弁棒の開弁方向とを、たがいに反対方向に変換する圧力室を有する湯水混合水栓が開示されている。
【０００６】
また、前記特許文献３（特開２００１−１３２０３０号公報）には、開閉用の操作レバーを有する水栓への給水および止水を行う電磁弁と、この両電磁弁に開閉信号を付与するコントローラーと、足元に設置されコントローラーの作動を制御するフットスイッチと、このフットスイッチの近傍に設置された人感センサーとを備え、フットスイッチと人感センサーとで電磁弁の開閉制御が行われるようにした給水装置が開示されている。
【先行技術文献】
【特許文献】
【０００７】
【特許文献１】特開２００１−２９５３３７号公報
【特許文献２】実開昭６０−１３７２７５号公報
【特許文献３】特開２００１−１３２０３０号公報
【考案の概要】
【考案が解決しようとする課題】
【０００８】
前記特許文献１の足踏み式蛇口では、足踏み式蛇口を別付けアダプターで既設の蛇口に取り付けるので、異なった形式の各種の蛇口に合わせたアダプターが必要となり、多くのアダプターを準備しなければならないという欠点がある。
【０００９】
また、蛇口に浄水器が取り付けられている場合には、浄水器を外さないとアダプターによる取り付けができないので、浄水が得られなくなるという問題がある。
【００１０】
また、前記引用文献２の湯水混合栓では、弁棒の一端に操作ハンドルを連結し、他端に足踏みペダルを連結し連動させるため、圧力室などを設けたりする必要があるため、構造が複雑となるという欠点がある。
【００１１】
また、前記引用文献３の給水装置では、電磁弁、コントローラー、人感センサーなどを組み込む必要があるので  構造が複雑になるだけでなく、停電などで電力が供給されなくなると動作しなくなって使用できなくなるという欠点がある。
【００１２】
そこで、本考案は、手を使わずに足踏みペダルにて蛇口の開閉を行うことができ、電気や蛇口に取り付けるためのアダプターを使用する必要のない構造が簡単により、ムダな吐水を押さえて節水することができる湯水混合栓装置を提供するものである。
【課題を解決するための手段】
【００１３】
本願請求項１の考案は、湯水混合栓を吐水又は止水させる足踏みペダルが前記湯水混合栓と操作ワイヤで接続されている湯水混合栓装置において、前記湯水混合栓は、湯を供給する給湯管と水を供給する給水管の接続部分に湯と水が混合される湯水混合部が形成され、前記湯水混合部の湯水を吐水する吐水管の湯水流路が前記湯水混合部に連通可能に接続され、前記湯水流路に上下動により前記湯水流路を開閉して吐水又は止水する開閉弁体が配置され、前記開閉弁体に前記足踏みペダルに接続されている前記操作ワイヤが接続されていることを特徴とする湯水混合栓装置である。
【００１４】
本願請求項２の考案は、前記開閉弁体に固定された開閉弁体ロッドに前記操作ワイヤの一端が接続されるとともに、操作ワイヤの他端が前記足踏みペダルに接続され、上下動する前記開閉弁体を収納し且つガイドする開閉弁体ガイド筒からの水漏れを防止するシール用蛇腹の中空部に、開閉弁体ロッドが上下動可能に通されていることを特徴とする請求項１に記載の湯水混合栓装置である。
【考案の効果】
【００１５】
本考案は、湯水混合栓内に吐水又は止水する開閉弁体が配置されておりアダプターで蛇口に取り付ける必要がないので、また、電磁弁やセンサーなどがなく電気を使用しないで操作ワイヤにより開閉弁体を開閉するので、構造が簡単である。
【００１６】
本考案は、シール用蛇腹の中空部に開閉弁体ロッドが上下動可能に通されているので、水漏れの恐れがない。
【図面の簡単な説明】
【００１７】
【図１】本考案の湯水混合栓装置を示す正面図である。
【図２】本考案の湯水混合栓装置を示す側面図である。
【図３】本考案の湯水混合栓装置を示す平面図である。
【図４】（ａ）は開閉弁体の待機状態の説明図、（ｂ）は開閉弁体を引いた状態の説明図である。
【図５】（ａ）は開閉弁体の説明図、（ｂ）はシール用蛇腹の説明図である。
【考案を実施するための形態】
【００１８】
本考案の実施例について図面を参照しながら説明する。
【００１９】
図１及び図２に示すように、本考案の湯水混合栓装置は湯水混合栓１とこの湯水混合栓１を吐水又は止水させる足踏みペダル２が操作ワイヤ３で接続されている。本考案は、湯水混合栓１には本実施例の２ハンドル湯水混合栓だけでなく、シングルレバー湯水混合栓、サーモスタット湯水混合栓にも適用可能である。
【００２０】
図１〜図３に示すように、湯水混合栓１は、湯を供給する給湯管４と水を供給する給水管５を備え、給湯管４と給水管５の接続部分に湯と水が混合される湯水混合部６が形成される。給湯管４と給水管５とのそれぞれのハンドル４ａ，５ａを回転させて湯又は水の流量を調整して湯水の温度を調節する。
【００２１】
図４において、湯水混合部６は、湯水を吐水する吐水管７の、湯水が流れる湯水流路８の一端と連通可能に接続されている。湯水混合部６の湯水は、吐水管７の湯水流路８の一端から流入し、湯水流路８を流れて吐水管７の他端から吐水される。
【００２２】
吐水管７の湯水流路８には、上下動して吐水管７の湯水流路８を開閉して吐水又は止水する開閉弁体９が配置されている。開閉弁体９は、例えば、ゴムで形成される。開閉弁体９は、開閉弁体９を収納し且つガイドする開閉弁体ガイド筒１０の中空部１０ａに上下動可能に支持されている。
【００２３】
開閉弁体９には湯水混合部６に通じる湯水流入口１０ｂ，１０ｃと吐水管７の湯水流路８に通じる湯水流入口１０ｄが形成されており、湯水流入口１０ｂ，１０ｃから流入した湯水が湯水流入口１０ｄから湯水流路８に流入するようになっている。開閉弁体ガイド筒１０は、本実施例では湯水混合部６に設けられているが、この位置に限られず、開閉弁体９が上下動して吐水管７の湯水流路８を開閉して吐水又は止水する位置であればよい。
【００２４】
開閉弁体９の下部には、図４及び図５に示すように、開閉弁体ロッド９ａが固定されている。開閉弁体ロッド９ａは、開閉弁体ガイド筒１０からの水漏れを防止するシール用蛇腹１１の中空部に上下動可能に通される。
【００２５】
シール用蛇腹１１は、ゴム等の柔軟で防水性を備えた材質からなる。シール用蛇腹１１の上下には上フランジ１１ａ及び下フランジ１１ｂが形成され、両フランジ１１ａ，１１ｂの間にシール用蛇腹１１が上下に拡がる方向に付勢するフランジ押さえバネ１２が配置されている。
【００２６】
シール用蛇腹１１は、フランジ押さえバネ１２により上フランジ１１ａが開閉弁体９の下面に押し付けられるとともに、下フランジ１１ｂが開閉弁体ガイド筒１０とチューブ固定筒１０ｅの間に設けられたスプリング止め１０ｆの上面に押し付けられることによりシールされて水漏れが防止できる。シール用蛇腹１１は、開閉弁体ロッド９ａが待機状態にあるときは、図４（ａ）に示すように伸長し、開閉弁体ロッド９ａが下方へ後退した時には図４（ｂ）に示したように収縮した状態になる。
【００２７】
開閉弁体ロッド９ａには操作ワイヤ３の一端が接続され、操作ワイヤ３の他端は、図１及び図２に示すように、足踏みペダル２に接続されている。操作ワイヤ３には、図４に示すように、レリースワイヤが使用され、可撓性を備えた円筒状のアウターチューブ３ａ内に滑動自在に配置されたインナーワイヤ３ｂの一端が開閉弁体ロッド９ａに接続される。インナーワイヤ３ｂの他端は足踏みペダルに接続される。
【００２８】
足踏みペダル２は、スプリングで図４（ａ）に示すように、開閉弁体９が待機位置に戻って吐水管７の湯水流路８を閉じて止水するように付勢されている。足踏みペダルを踏むことにより操作ワイヤ３のインナーワイヤ３ｂが引っ張られて開閉弁体が待機位置より下がって湯水流路８が開かれ、足を足踏みペダルから上げて離すと開閉弁体９が待機位置に戻って湯水流路８が閉じられる。
【００２９】
以上の構成からなる湯水混合栓装置の使用方法について説明する。足踏みペダル２を踏んで操作ワイヤ３のインナーワイヤ３ｂを引っ張って開閉弁体９を待機位置から下げて湯水流路８を開いた後、湯水混合栓１の給湯管４と給水管５のハンドル４ａ，５ａを回転させて吐水しながら湯又は水の流量を調整して湯水の温度を調節して適温にする。
【００３０】
その後、吐水の必要がある時には、足踏みペダル２を踏み、止水したい時には、足を足踏みペダル２から上げて離して開閉弁体９を待機位置に戻して湯水流路８が閉じて止水する。こうして、ムダな吐水を押さえて節水することができる。
【符号の説明】
【００３１】
１：湯水混合栓
２：足踏みペダル
３：操作ワイヤ
４：給湯管
５：給水管 
６：湯水混合部
７：吐水管
８：湯水流路
９：開閉弁体
１０：開閉弁体ガイド筒
１１：シール用蛇腹
１２：フランジ押さえバネ
【図１】
0003191875.tif 000003
【図２】
0003191875.tif 000004
【図３】
0003191875.tif 000005
【図４】
0003191875.tif 000006
【図５】
0003191875.tif 000007